【事件の表示】
　特願２０１０−　９５２９２「光情報記録媒体，光情報記録媒体の再生装置，光情報記録媒体の再生方法及び光情報記録媒体の記録再生方法」拒絶査定不服審判事件〔平成２２年１１月２５日出願公開，特開２０１０−２６７３６９〕について，次のとおり審決する。
【結　論】
　本件審判の請求は，成り立たない。
【理　由】
第１　手続の経緯
　この出願は，平成２２年４月１６日（特許法第４１条第１項による優先権主張　平成２１年４月１６日）に出願されたものであって，平成２２年７月１日付け拒絶の理由に対し，同年９月６日に意見書が提出されたが，平成２３年３月２９日付けで拒絶をすべき旨の査定がなされたものであり，これに対し，同年７月４日に拒絶査定不服審判の請求がなされると共に，同日付けで手続補正がなされたものである。
　その後，当審の平成２３年１２月２１日付け審尋に対し，平成２４年３月１２日に回答書が提出された。
　
第２　平成２３年７月４日付け手続補正の却下の決定
　
《補正の却下の決定の結論》
　
　平成２３年７月４日付け手続補正を却下する。
　
《補正の却下の決定の理由》
　
１　本件補正の概要
　平成２３年７月４日付け手続補正（以下，「本件補正」という。）は，特許請求の範囲の全文について補正をするものであり，そのうち，請求項２について，本件補正前
「　【請求項２】
　再生装置が有する光学系解像限界以下の長さを含む凹凸が，第１のチャネルビット長を基準とする所定の変調方式に基づいて，自媒体を構成する基板上の所定の位置に形成されていることにより，コンテンツが記録されているデータ領域を有し，前記再生装置から出射される光が前記データ領域に照射されることにより，前記コンテンツの再生が行なわれる再生専用の光情報記録媒体であって，
　前記光情報記録媒体に関するディスク管理情報が記録されたディスク管理情報領域と，前記データ領域を，前記再生装置にて再生するために利用可能な記録再生導入領域と，前記データ領域とが前記再生装置の走査方向に，この順で配置されると共に，
　前記ディスク管理情報領域は，前記第１のチャネルビット長より長い第２のチャネルビット長を基準とする所定の変調方式に基づいて，前記光情報記録媒体を構成する基板上における前記ディスク管理情報領域に凹凸が形成されることにより，前記ディスク管理情報が記録されており，
　前記記録再生導入領域には，前記第１のチャネルビット長の逓倍からなる凹凸が形成されていることを特徴とする光情報記録媒体。」
とあったものを，本件補正により
「【請求項２】
　再生装置が有する光学系解像限界以下の長さを含む凹凸が，第１のチャネルビット長を基準とする所定の変調方式に基づいて，自媒体を構成する基板上の所定の位置に形成されていることにより，コンテンツが記録されているデータ領域を有し，前記再生装置から出射される光が前記データ領域に照射されることにより，前記コンテンツの再生が行なわれる再生専用の光情報記録媒体であって，
　前記光情報記録媒体に関するディスク管理情報が記録されたディスク管理情報領域と，前記データ領域を，前記再生装置にて再生するために利用可能な記録再生導入領域と，前記データ領域とが前記再生装置の走査方向に，
隣接して
　前記ディスク管理情報領域は，前記第１のチャネルビット長より長い第２のチャネルビット長を基準とする所定の変調方式に基づいて，前記光情報記録媒体を構成する基板上における前記ディスク管理情報領域に凹凸が形成されることにより，前記ディスク管理情報が記録されており，
　前記記録再生導入領域には，前記第１のチャネルビット長の逓倍からなる凹凸が形成されていることを特徴とする光情報記録媒体。」
としようとするものである。なお，下線は請求人が付していたものである。
　
２　補正の目的について
　本件補正は，本件補正前「前記光情報記録媒体に関するディスク管理情報が記録されたディスク管理情報領域と，前記データ領域を，前記再生装置にて再生するために利用可能な記録再生導入領域と，前記データ領域とが前記再生装置の走査方向に，この順で配置される」とあったものを，本件補正により「前記光情報記録媒体に関するディスク管理情報が記録されたディスク管理情報領域と，前記データ領域を，前記再生装置にて再生するために利用可能な記録再生導入領域と，前記データ領域とが前記再生装置の走査方向に，
隣接して
　したがって，以下，本件補正により特許請求の範囲に記載しようとする発明が，出願の際独立して特許を受けることができるものであるかについて，検討する。
　
３　本件補正発明
　本件補正により特許請求の範囲に記載しようとする請求項２の発明（以下，「本件補正発明」という。）は，前記１に，本件補正前の請求項２の発明として示したとおりのものである。
　
４　刊行物の記載事項
　
　(1) 文献１
　この出願の優先日前に頒布された刊行物であり，原査定の理由で引用された国際公開第２００９／０２８５９３号（平成２１年３月５日発行。以下，「文献１」という。）には，図面と共に次の事項が記載されている。なお，下線は当審で付したものである。
　
　　ア　「背景技術
［０００２］
　近年，画像等のデータ量の大きな情報を扱う機会が多くなっている。このため，光記録媒体の高記録密度化が求められている。そこで，
再生装置が有する光学系の解像限界より短い長さの凹及び／または凸からなるプリピットで情報を記録する光記録媒体と，この光記録媒体を再生するための超解像技術とが提案されている。以下，本明細書においては，超解像技術を用いて再生する光記録媒体を「超解像媒体」または「超解像光記録媒体」と呼び
　
　　イ　「発明を実施するための最良の形態
［００４６］
　本発明の各実施形態について図１〜図１２を用いて説明すると以下の通りである。なお，本明細書における「プリピットの長さ」または「プリピット長」とは，プリピットのタンゲンシャル方向（光記録媒体の半径方向に対して法線方向）への長さである。また，本発明に係る光記録媒体再生装置（以下，再生装置と称する）が有する光学系の解像限界より長い長さのプリピットからなるプリピット列によって各種情報が記録されている光記録媒体を，「通常媒体」または「通常光記録媒体」と称する。
［００４７］
　〔実施の形態１〕
　本発明に係る超解像光記録媒体の一実施形態について図１〜図３を用いて説明すると以下の通りである。本実施形態に係る超解像光記録媒体（以下，超解像媒体と称する）１０は，再生専用媒体で，断面構造がＢＤ（Blu-ray Disc）タイプの超解像媒体である。本実施形態では，再生装置の光学系が，レーザ波長が４０５ｎｍ，集光レンズの開口数ＮＡが０．８５であり，その解像限界は１１９ｎｍである。なお，ＢＤ規格等で使用される半導体レーザは，製造工程等で発生する個体差が存在するため，本明細書において，例えばレーザ波長を４０５ｎｍと記載する場合，レーザ波長が４００ｎｍ〜４１０ｎｍの範囲にあることを意味する。
［００４８］
　図１は，超解像媒体１０の外観を示している。
［００４９］
　超解像媒体１０は，媒体情報が記録されている媒体情報領域（第１領域）１と，映像やソフトウェア等のコンテンツ情報が記録されているコンテンツ領域（第２領域）３と，媒体情報領域１とコンテンツ領域３との間に設けられたブランク領域２とを有している。
［００５０］
　図２は，ブランク領域２近辺を拡大して示している。
［００５１］
　媒体情報領域１では，ＢＤ規格に準じ，主に，１４９ｎｍ，２２３．５ｎｍ，２９８ｎｍ，３７２．５ｎｍ，４９６ｎｍ，５７０．５ｎｍ，および６４５ｎｍの長さのプリピットとスペースとからなるプリピット列がスパイラル状に形成されて媒体情報が記録されており，このプリピット列のすべてのプリピットおよびスペースは，再生装置の光学系の解像限界である１１９ｎｍより長い。媒体情報領域１のトラックピッチは，３２０ｎｍである。
［００５２］
　媒体情報領域１における媒体情報には，コンテンツ領域３の記録形態が超解像記録形態であること示し，超解像媒体１０の媒体の種類を識別するための媒体識別情報，再生装置が再生クロックを切り替えるための再生クロック切替情報，および記録情報のアドレス等が含まれている。
［００５３］
　また，媒体情報領域１には，同図に示すように，再生装置がコンテンツ領域３に照射するレーザ光のパワーを調整（設定）するためのプリピットが形成されたテストリード領域１Ａが割り当てられている。テストリード領域１Ａにて調整されたレーザ光のパワーは，ブランク領域２に照射するレーザ光のパワーでもある。
［００５４］
　テストリード領域１Ａのプリピット列は，コンテンツ領域３の最短プリピットを含み，コンテンツ領域３のプリピットの長さと等しい長さのプリピットのみからなるプリピット列であって，コンテンツ領域３のプリピット幅及び変調方式に準じたランダムパターンである。また，参照データ分に相当する長さのプリピット列が，コンテンツ領域３と等しい線記録密度で形成されている。テストリード領域１Ａのプリピット列は，媒体情報領域１の任意の場所に設けることができる。また，上記参照データは，超解像媒体において共通であれば，再生装置に記録されていてもよく，また，媒体情報領域１内のテストリード領域１Ａ以外の領域に記録されていてもよい。
［００５５］
　ブランク領域２は，再生装置がトラッキングサーボ制御を行いながら媒体情報領域１からコンテンツ領域３へと光学系を移動させるときのガイドとしての役割を有し，１４９ｎｍの長さのプリピットが等間隔で配列されたプリピット列が，媒体情報領域１のプリピット列とコンテンツ領域３のプリピット列とをつなぐように，スパイラル状に連続して形成されている。ブランク領域２におけるプリピット列は，少なくとも２周以上形成され，本実施形態では約２周設けている。また，ブランク領域２におけるプリピット列は，媒体情報およびコンテンツ情報など再生すべき情報は特に記録されていない。
［００５６］
　また，ブランク領域２におけるプリピットの深さは，再生装置の光学系がトラッキングエラー信号を検出できるピット深さであればよく，本実施形態のように，再生装置の光学系のレーザ波長が４０５ｎｍであり，集光レンズの開口数ＮＡが０．８５である場合，ＢＤ規格に準じ，６５ｎｍ程度で形成されていればよい。ブランク領域２の詳細については，後述する。
［００５７］
　
コンテンツ領域３では，主に，１１６ｎｍ，１７４ｎｍ，２３２ｎｍ，２９０ｎｍ，３４８ｎｍ，４０６ｎｍ，および４６４ｎｍの長さのプリピットとスペースとからなるプリピット列がスパイラル状に形成されてコンテンツ情報が記録されており，このプリピット列は再生装置の光学系の解像限界である１１９ｎｍより短い，１１６ｎｍの長さのプリピット及びスペースを含んでいる
　
　　ウ　「［０１０８］
　〔実施の形態４〕
　本発明に係る超解像媒体の他の実施形態について図７および図８を用いて説明すると以下の通りである。本実施形態に係る超解像媒体２０は，
再生専用媒体
［０１０９］
　
超解像媒体２０は，媒体情報が記録されている媒体情報領域（第１領域）１１と，映像やソフトウェア等のコンテンツ情報が記録されているコンテンツ領域（第２領域）１３と，媒体情報領域１１とコンテンツ領域１３との間に設けられたブランク領域１２とを有している
［０１１０］
　図７は，ブランク領域１２近辺を拡大して示している。
［０１１１］
　
媒体情報領域１１では，ＨＤ＿ＤＶＤ規格に準じ，最短プリピット長が２０４ｎｍのプリピットとスペースとからなるプリピット列がスパイラル状に形成されて媒体情報が記録されており
［０１１２］
　
媒体情報領域１１における媒体情報には，コンテンツ領域１３の記録形態が超解像記録形態であること示し，超解像媒体２０の媒体の種類を識別するための媒体識別情報，再生装置が再生クロックを切り替えるための再生クロック切替情報，記録情報のアドレス，およびブランク領域１２の開始位置を示す第１アドレス情報等が含まれている
［０１１３］
　また，媒体情報領域１１には，同図に示すように，再生装置がコンテンツ領域１３に照射するレーザ光のパワーを調整（設定）するためのプリピットが形成されたテストリード領域１１Ａが割り当てられている。テストリード領域１１Ａにて調整されたレーザ光のパワーは，ブランク領域１２に照射するレーザ光のパワーでもある。
［０１１４］
　
テストリード領域１１Ａのプリピット列は，コンテンツ領域１３の最短プリピットを含み，コンテンツ領域１３のプリピットの長さと等しい長さのプリピットのみからなるプリピット列であって，コンテンツ領域１３のプリピット幅及び変調方式に準じたランダムパターン
テストリード領域１１Ａのプリピット列については，媒体情報領域１１の任意の場所に設けることができ
また，上記参照データは，超解像媒体において共通であれば，再生装置に記録されていてもよく
［０１１５］
　テストリードは，レーザ光のパワーを変化させて行うため，コンテンツ領域１３に適したレーザ光のパワーよりも大きなパワーで照射してしまうことがある。このとき，参照データ分に相当する１つのプリピット列のみしか形成されていない場合，繰り返し同じプリピット列にレーザ光を照射することになり，媒体が傷みやすくなる可能性がある。そこで，上述のように参照データ分に相当する長さのプリピット列を繰り返し形成することにより，上述のような媒体の傷みを防止できる。
［０１１６］
　
ブランク領域１２は，再生装置がトラッキングサーボ制御を行いながら媒体情報領域１１からコンテンツ領域１３へと光学系を移動させるときのガイドとしての役割を有し，媒体情報領域１１のプリピット列とコンテンツ領域１３のプリピット列とをつなぐように，プリピット列がスパイラル状に連続して形成されている
［０１１７］
　また，ブランク領域１２におけるプリピットの深さは，再生装置の光学系がトラッキングエラー信号を検出できるピット深さであればよく，本実施形態のように，再生装置の光学系のレーザ波長が４０５ｎｍであり，集光レンズの開口数ＮＡが０．６５である場合，７８ｎｍ程度で形成されていればよい。ブランク領域１２の詳細については，後述する。
［０１１８］
　
コンテンツ領域１３では，最短プリピット長が１５０ｎｍで，再生装置の光学系の解像限界である１５６ｎｍより短い長さのプリピットとスペースとを含むプリピット列がスパイラル状に形成されてコンテンツ情報が記録されている
［０１１９］
　上述のように，ブランク領域１２の位置を示すアドレス情報を記録しておくことにより，再生装置がブランク領域１２の所在を認識し，ブランク領域１２およびコンテンツ領域１３に対して適切な処理（再生装置のレーザ光のパワーを切り替えるなど）を行うことができるとともに，ブランク領域１２において，連続して隣接したトラックにジャンプして移動することができ，コンテンツ領域１３の再生にスムーズに，比較的短い時間で，移行することができる。
［０１２０］
　図８は，超解像媒体２０の断面構造を示している。
［０１２１］
　超解像媒体２０は，上記各領域におけるプリピットが形成されている基板１５上に，反射層１６と，超解像効果を発生させる超解像機能層１７とが順にスパッタリングにより積層され，さらに，超解像機能層１７上に，透光性のある基板１８が設けられた構造となっている。
［０１２２］
　基板１５は，約０．６ｍｍの厚みを有し，ポリカーボネートにより形成されている。反射層１６は，７ｎｍの膜厚のシリコン層であり，超解像機能層１７は，１５５ｎｍの膜厚の酸化亜鉛層である。基板１８は，約０．６ｍｍの厚みを有し，ポリカーボネートにより形成されている。なお，上記各領域におけるプリピットは，基板１５に対して，凹状及び／または凸状の形状を有している。
［０１２３］
　コンテンツ領域１３に，コンテンツ領域１３の再生に適したパワーでレーザ光を照射すると，反射層１６によって熱が発生し，超解像機能層１７上のレーザスポット内に，光強度分布により生じる温度分布によって，透過率の分布が生じる。その結果，上記レーザスポットが擬似的に縮小した状態となり，これにより，コンテンツ領域１３における再生装置が有する光学系の解像限界より短い長さのプリピットを含むプリピット列が再生可能となり，通常媒体より多くの情報を利用することができる。なお，超解像機能層１７は，コンテンツ領域１３におけるプリピット列を再生可能な構造であればよく，例えば，特許文献１に記載のマスク層，または特許文献２に記載の機能層でも良い。
［０１２４］
　また，媒体情報領域１１における媒体識別情報が，再生装置が有する光学系の解像限界より長い長さのプリピットからなるプリピット列によって，すなわち，通常媒体の記録形態と同様に記録されているため，上記媒体識別情報を通常媒体用のレーザ光のパワーで再生できる。したがって，再生装置は，媒体が挿入されると，通常媒体用のパワーで媒体にレーザ光を照射し，媒体識別情報を読み取って，挿入された媒体が通常媒体と超解像媒体とのいずれであるかを判別する。そして，この判別の結果に応じて，挿入された媒体に合わせて処理を変更する（レーザ光のパワーを切り替えるなど）ことができるため，通常媒体と超解像媒体２０とのいずれの媒体も再生可能な互換性を有した再生装置を実現することができる。なお，媒体情報領域１１の再生に適したレーザ光のパワーは，通常媒体の再生に適したレーザ光のパワーと同様に，約０．３ｍＷである。
［０１２５］
　次に，ブランク領域１２について，図７を参照してより詳細に説明する。なお，説明の便宜上，ブランク領域１２に隣接する媒体情報領域１１のプリピット列をプリピット列ｃとし，ブランク領域１２に隣接するコンテンツ領域１３のプリピット列をプリピット列ｄとする。そして，ブランク領域１２における４周のプリピット列のうち，媒体情報領域１１におけるプリピット列ｃに隣接するプリピット列をプリピット列Ｋとし，プリピット列Ｋに隣接する，コンテンツ領域１３側のプリピット列をプリピット列Ｌとする。また，プリピット列Ｌに隣接する，コンテンツ領域１３側のプリピット列をプリピット列Ｍとし，プリピット列Ｍに隣接するとともに，コンテンツ領域１３のプリピット列ｄに隣接するプリピット列をプリピット列Ｎとする。
［０１２６］
　ブランク領域１２におけるプリピット列Ｋは，隣接するプリピット列ｃから４００ｎｍのトラックピッチ（媒体情報領域１１のトラックピッチ）を保って形成されている。プリピット列Ｌ〜プリピット列Ｎは，それぞれ，約１周する間に，隣接する媒体情報領域１１側のプリピット列からのトラックピッチが約２０ｎｍずつ小さくなるように形成されており，それゆえ，プリピット列Ｎは隣接するプリピット列Ｍからのトラックピッチが約３２０ｎｍとなる。また，プリピット列Ｎは，隣接するプリピット列ｄに対して３２０ｎｍのトラックピッチを保って形成されている。
［０１２７］
　このようにブランク領域１２を設けることにより，実施の形態１〜３と同様に，それぞれ記録形態およびトラックピッチが異なっている，媒体情報領域１１とコンテンツ領域１３ｂとにおいて，再生エラーを増加させることなく，適切に再生が行われる。それゆえ，超解像媒体２０は，通常媒体よりも記録容量が大容量であって，かつ，一つの再生装置において通常媒体とともに再生できる超解像媒体を提供することができる。
［０１２８］
　また，
ブランク領域１２は，４周にわたり案内溝を設けており，その領域が広い。
また，再生装置の光学系が，ブランク領域１２を通過するときのトラッキングサーボ制御の安定性が増し，外乱等に対するマージンが大きくなるため，よりスムーズにコンテンツ領域１１からコンテンツ領域１３へ移動をすることが可能となる
［０１２９］
　また，超解像媒体の記録容量をできる限り大きく確保したい場合は，実施の形態１のようにブランク領域を約２周とするなどして，ブランク領域１２をできる限り小さくすればよい。また，例えば，ある周方向位置においての，隣接する内周側のプリピット列または案内溝からのトラックピッチを，外周側にいくに従い，４００ｎｍから，約３８５ｎｍ，約３６０ｎｍ，約３３０ｎｍ，約３２５ｎｍ，３２０ｎｍとしてもよい。このようにすることで，光記録媒体の原盤製造が容易になる。つまり，このように，ある地点を過ぎたところから，原盤の半径方向への送り速度の変化量を小さくすることで，隣接する内周側のプリピット列または案内溝からのトラックピッチが３２０ｎｍになった時点において，原盤の半径方向への送り速度が安定しやすくなる。」
　
　　エ　「［０１６０］
　次に，再生装置５０の処理動作（再生動作）について図１１を用いて説明する。図１１は，再生装置５０の処理動作の流れを示している。
［０１６１］
　
再生装置
に，光記録媒体
が挿入されると，
再生初期のアクセス位置である光記録媒体
の媒体情報領域に光ピックアップ
が位置合わせされ，
［０１６２］
　上記
媒体情報領域からの反射光
［０１６３］
　信号処理部３１は，上記電気信号
を処理して
［０１６４］
　媒体識別部３２による識別の結果，光記録媒体２１が通常媒体であった場合（Ｓ３においてＮＯ），ＲＦ処理制御部３５は，この媒体識別部３２の識別結果に基づいて，等価処理および複号処理を行うようにＲＦ信号処理回路３９Ｂを制御する（Ｓ８）。そして，通常媒体のコンテンツ領域に光ピックアップ２６が位置合わせされて，レーザ光源２４から出射されたレーザ光が，通常媒体用のパワーのままで，上記コンテンツ領域に照射される（Ｓ９）。そして，上記コンテンツ領域からの反射光が，光検出器２５，ヘッドアンプ２８を介して，ＲＦ信号処理部３９へ送られ，コンテンツ情報が再生される（Ｓ１０）。
［０１６５］
　一方，媒体識別部３２による識別の結果，光記録媒体２１が超解像媒体１０ａであった場合（Ｓ３においてＹＥＳ），
媒体情報領域
のテストリード領域
に光ピックアップ
が位置合わせされて，レーザ光源
から出射されたレーザ光が，テストリード領域
に照射され
コンテンツ領域３ａ用のレーザ光のパワーを決定す
［０１６６］
　より具体的には，パワー制御部３３は，レーザ光源２４のレーザ光のパワーを徐々に変化させて，テストリード領域１Ａにおける参照データ分に相当する長さのプリピット列を再生し，最も再生エラーが少ない時のパワーを上記レーザ光のパワーとして決定する。また，これに限らず，媒体のチルトマージンが最も大きい時のパワー，あるいは，所定のエラーレート以下となるパワー範囲の中央値を上記レーザ光のパワーとしてもよい。パワー制御部３３は，決定したブランク領域２ａ用およびコンテンツ領域３ａ用のレーザ光のパワーを図示しないメモリに記憶する。
［０１６７］
　続いて，媒体情報領域１ａに記録されている再生クロック切替情報が，信号処理部３１によって再生されて，再生クロック制御部３４へ送られ，ＲＦ信号処理回路３９Ｂにおいてコンテンツ情報の再生時に用いられる再生クロックが超解像媒体用に変更される（Ｓ５）。
［０１６８］
　続いて，媒体情報領域１ａに記録されている，ブランク領域２ａのアドレス情報が，信号処理部３１によって再生されて，パワー制御部３３およびＲＦ処理制御部３５へ送られる。パワー制御部３３は，受け取ったブランク領域２ａのアドレス情報に基づいて，レーザ光源２４のレーザ光のパワーを，Ｓ４において決定したコンテンツ領域３ａ用のパワーに変更する。また，ＲＦ処理制御部３５は，受け取ったブランク領域２ａのアドレス情報に基づいて，ＲＦ信号処理回路３９Ｂにおける状態を維持する，すなわち等価処理および複号処理を停止させておく（Ｓ６）。
［０１６９］
　
光ピックアップ
が，媒体情報領域
から
［０１７０］
　続いて，光ピックアップ２６が，ブランク領域２ａからコンテンツ領域３ａにアクセスするとき，パワー制御部３３は，ブランク領域２ａのアドレス情報に基づいて，レーザ光源２４のレーザ光のパワーを維持する。また，ＲＦ処理制御部３５は，ブランク領域２ａのアドレス情報に基づいて，等価処理および複号処理を行うようＲＦ信号処理回路３９Ｂを制御する（Ｓ８）。
［０１７１］
　光ピックアップ２６が，ブランク領域２ａから
コンテンツ領域
にアクセスすると，コンテンツ領域
からの反射光が，
コンテンツ情報が再生される
［０１７２］
　以上のように，再生装置５０は，通常媒体用のレーザ光のパワーで媒体識別情報を再生し，この再生した媒体識別情報により，挿入された光記録媒体が通常媒体であるか超解像媒体１０ａであるかを識別する。そして，この識別結果に応じて，光記録媒体に合わせて処理を変更する（レーザ光のパワーを切り替えるなど）。また，再生装置５０は，ブランク領域２ａにおいては，サーボ制御は行ったままで，等価処理および復号処理を行わずコンテンツ情報の再生を停止させ，ブランク領域２ａに対応する。したがって，再生装置５０ａは，通常媒体と超解像媒体１０ａとのいずれの媒体も再生可能な再生装置を提供することができる。
［０１７３］
　また，再生装置５０は，上述のように，ブランク領域２ａを経由している間，等価処理および復号処理を行わないため，再生装置５０の消費電力を小さくすることが可能となる。また，光学系のタンゲンシャル方向の移動速度である線速度が，等価処理および／または復号処理によって律速される再生装置の場合，ブランク領域２ａを経由している間の時間を短縮することが可能となり，媒体情報領域１ａの再生後，よりスムーズに，短い時間で，コンテンツ領域３ａの再生に移行することが可能となる。
［０１７４］
　なお，本実施形態では，テストリード領域１Ａによってコンテンツ領域３ａの再生に適したレーザ光のパワーを決定したが，複数の超解像媒体においてコンテンツ領域の再生に適したレーザ光のパワーが共通であれば，この共通のレーザ光のパワーを再生装置５０が記憶しておいて，その記憶した情報を読み出すことによって最適なレーザ光のパワーを決定してもよい。また，テストリード領域によって決定したレーザ光のパワーをメモリに記憶しておき，次回からは，その記憶した情報を読み出すことによって最適なレーザ光のパワーを決定してもよい。」
　
　　オ　図７には，前記摘記箇所ウの「超解像媒体２０」について，「内周方向」に「媒体情報領域１１」，「外周方向」に「コンテンツ領域１３」が示され，その間に「ブランク領域１２」が存在するものが記載されている。
　
　以上の記載及び図面の記載から，文献１には，以下の発明（以下，「引用発明１」という。）が記載されている。
　
「再生装置が有する光学系の解像限界より短い長さの凹及び／または凸からなるプリピットで情報を記録する光記録媒体である再生専用の超解像媒体２０であって，
　超解像媒体２０は，媒体情報が記録されている媒体情報領域１１と，映像やソフトウェア等のコンテンツ情報が記録されているコンテンツ領域１３と，媒体情報領域１１とコンテンツ領域１３との間に設けられたブランク領域１２とを有し，内周方向に媒体情報領域１１が存在し，外周方向にコンテンツ領域１３が存在し，レーザ光源から出射されたレーザ光が上記コンテンツ領域１３に照射され，コンテンツ情報が再生されるものであり，
　媒体情報領域１１は，ＨＤ＿ＤＶＤ規格に準じ，最短プリピット長が２０４ｎｍのプリピットとスペースとからなるプリピット列がスパイラル状に形成されて媒体情報が記録されており，媒体情報領域１１における媒体情報には，コンテンツ領域１３の記録形態が超解像記録形態であること示し，超解像媒体２０の媒体の種類を識別するための媒体識別情報，再生装置が再生クロックを切り替えるための再生クロック切替情報，記録情報のアドレス，およびブランク領域１２の開始位置を示す第１アドレス情報等が含まれており，
　ブランク領域１２は，再生装置がトラッキングサーボ制御を行いながら媒体情報領域１１からコンテンツ領域１３へと光学系を移動させるときのガイドとしての役割を有し，媒体情報領域１１のプリピット列とコンテンツ領域１３のプリピット列とをつなぐように，プリピット列がスパイラル状に連続して形成されており，ブランク領域１２におけるプリピット列は，長さ２０４ｎｍのプリピットを含むものであり，再生装置の光学系が，ブランク領域１２を通過するときのトラッキングサーボ制御の安定性が増し，外乱等に対するマージンが大きくなるため，よりスムーズにコンテンツ領域１１からコンテンツ領域１３へ移動をすることが可能となるようにされるものであって，
　コンテンツ領域１３は，最短プリピット長が１５０ｎｍで，再生装置の光学系の解像限界である１５６ｎｍより短い長さのプリピットとスペースとを含むプリピット列がスパイラル状に形成されてコンテンツ情報が記録されている
　超解像媒体２０。」
　
　(2) 文献２
　この出願の優先日前に頒布された刊行物である特表２００６−５１６７９１号公報（以下，「文献２」という。）には，図面と共に次の事項が記載されている。なお，下線は当審で付したものであり，段落０００５の「データ再生に問題が発生じうる。」は「データ再生に問題が発生しうる。」の誤記と認められるから，「データ再生に問題が発生しうる。」と認めた。
　
「【０００５】
　一方、従来の再生専用光ディスクには、前記ＢＣＡ、
リードイン領域、ユーザデータ領域
が、各領域間の境界領域に転移領域なく連続的に配列されている。
リードイン領域そしてユーザデータ領域
が、相異なるピットパターンで形成されるとき、転移領域なく連続的にデータを再生するならば、データ再生に問題が発生しうる。
【発明が解決しようとする課題】
　【０００６】
　本発明は、前記の問題点を解決するために案出され、多数個の領域を含み、各領域間に転移領域を備えてデータ再生を円滑に行わせる光情報記録媒体を提供するところに目的がある。
　【０００７】
　前記目的を達成するために、本発明による光情報記録媒体は、多数個の領域と、少なくとも１つの転移領域を含む再生専用の情報記録媒体を提供することを目的とする。各転移領域は２つの隣接領域間に位置する。
　【０００８】
　また、前記多数個の領域と転移領域とにデータがピットで記録されうる。
　【０００９】
　ここで、
前記転移領域のピットパターンは
前記転移領域の後にある領域のピットパターンと同一でありうる
　【００１０】
　また、前記転移領域がミラー領域で形成可能である。また、前記転移領域のピットがストレートパターンまたはウォッブルパターンで形成可能である。また、前記転移領域でのピットのトラックピッチと、隣接領域にあるピットのトラックピッチとが同一でありうる。前記転移領域でのピットのトラックピッチと、隣接領域にあるピットのトラックピッチとが異なることがある。前記転移領域に形成されたピットのトラックピッチが、転移領域の前にある領域に形成されたピットのトラックピッチから転移領域の後にある領域に形成されたピットのトラックピッチまでだんだんと大きくなるか、または小さくなることが望ましい。
【課題を解決するための手段】
　【００１１】
　前記の目的を達成するために、本発明による光情報記録媒体は、ＢＣＡ；リードイン領域；ユーザデータ領域；リードアウト；及び前記ＢＣＡとリードイン領域との間、前記リードイン領域とユーザデータ領域との間及び前記ユーザデータ領域とリードアウト領域との間のうち少なくとも１ヵ所に位置した転移領域を含む再生専用の光情報記録媒体を提供することを特徴とする。前記ＢＣＡ、
リードイン領域、ユーザデータ領域
は、ピットで形成される
　【００１２】
　また、前記ＢＣＡと前記リードイン領域との間に第１転移領域が備わり、前記ＢＣＡ、リードイン領域及び第１転移領域は、それぞれストレートパターンまたはウォッブルパターンのピットで形成可能である。
　【００１３】
　また、
前記リードイン領域とユーザデータ領域との間に第２転移領域が備わり、前記リードイン領域、ユーザデータ領域及び第２転移領域は、
ピットで形成可能
　
３　本件補正発明と引用発明１との対比
　(1) 引用発明１の「再生装置が有する光学系の解像限界より短い長さの凹及び／または凸からなるプリピットで情報を記録する光記録媒体である再生専用の超解像媒体２０」は，本件補正発明の「再生装置が有する光学系解像限界以下の長さを含む凹凸が」「形成されている」「再生専用の光情報記録媒体」に相当する。
　そして，引用発明１の「映像やソフトウェア等のコンテンツ情報が記録されているコンテンツ領域１３」「とを有し，」「外周方向にコンテンツ領域１３が存在し，レーザ光源から出射されたレーザ光が上記コンテンツ領域１３に照射され，コンテンツ情報が再生される」ことは，本件補正発明の「自媒体を構成する基板上の所定の位置に形成されていることにより，コンテンツが記録されているデータ領域を有し，前記再生装置から出射される光が前記データ領域に照射されることにより，前記コンテンツの再生が行なわれる」ことに相当する。
　また，引用発明１の「コンテンツ領域１３は，最短プリピット長が１５０ｎｍで，再生装置の光学系の解像限界である１５６ｎｍより短い長さのプリピットとスペースとを含むプリピット列がスパイラル状に形成され」ることは，本件補正発明の「第１のチャネルビット長を基準とする所定の変調方式に基づ」くことと，所定の方式に基づくことで共通する。
　よって，引用発明１と本件補正発明は，「再生装置が有する光学系解像限界以下の長さを含む凹凸が，所定の方式に基づいて自媒体を構成する基板上の所定の位置に形成されていることにより，コンテンツが記録されているデータ領域を有し，前記再生装置から出射される光が前記データ領域に照射されることにより，前記コンテンツの再生が行なわれる再生専用の光情報記録媒体」である点で一致する。
　
　(2) 引用発明１の「記録情報のアドレス」である「媒体情報が記録されている媒体情報領域１１」は，本件補正発明の「前記光情報記録媒体に関するディスク管理情報が記録されたディスク管理情報領域」に相当する。
　そして，引用発明１の「再生装置がトラッキングサーボ制御を行いながら媒体情報領域１１からコンテンツ領域１３へと光学系を移動させるときのガイドとしての役割を有」する「ブランク領域１２」は，
再生装置がコンテンツ領域１３へ光学系を移動させ，コンテンツ領域１３の再生をするために利用される
　また，引用発明１の「超解像媒体２０」は，「内周方向に媒体情報領域１１が存在し，外周方向にコンテンツ領域１３が存在し」，「媒体情報領域１１とコンテンツ領域１３との間に設けられたブランク領域１２とを有」するものであるから，引用発明１の「超解像媒体２０」は，内周から，「媒体情報領域１１」，「ブランク領域１２」，「コンテンツ領域１３」の順で配置されている。
　ここで，引用発明１の「ブランク領域１２」は，「再生装置がトラッキングサーボ制御を行いながら媒体情報領域１１からコンテンツ領域１３へと光学系を移動させるときのガイドとしての役割を有し，媒体情報領域１１のプリピット列とコンテンツ領域１３のプリピット列とをつなぐように，プリピット列がスパイラル状に連続して形成されて」いるものであるから，引用発明１の「媒体情報領域１１」，「ブランク領域１２」，「コンテンツ領域１３」は，再生装置の走査の方向に連続する領域である。
　よって，引用発明１と本件補正発明は，「前記光情報記録媒体に関するディスク管理情報が記録されたディスク管理情報領域と，前記データ領域を，前記再生装置にて再生するために利用可能な記録再生導入領域と，前記データ領域とが前記再生装置の走査方向に，隣接してこの順で配置され」ているものである点で，一致する。
　
　(3) 引用発明１は，「コンテンツ領域１３は，最短プリピット長が１５０ｎｍで，再生装置の光学系の解像限界である１５６ｎｍより短い長さのプリピットとスペースとを含むプリピット列がスパイラル状に形成されてコンテンツ情報が記録されている」のに対し，「媒体情報領域１１は，ＨＤ＿ＤＶＤ規格に準じ，最短プリピット長が２０４ｎｍのプリピットとスペースとからなるプリピット列がスパイラル状に形成されて媒体情報が記録されて」いるものであるから，引用発明１の「媒体情報領域１１」の「最短プリピット長」は，「コンテンツ領域１３」の「最短プリピット長」より長くされているところ，引用発明１の「プリピット」は「凹及び／または凸からなる」ものである。
　これに対し，本件補正発明は，「前記ディスク管理情報領域は，前記第１のチャネルビット長より長い第２のチャネルビット長を基準とする所定の変調方式に基づいて，前記光情報記録媒体を構成する基板上における前記ディスク管理情報領域に凹凸が形成される」というものであるが，本件補正発明の「第２のチャネルビット長」により形成される「凹凸」は，発明の詳細な説明を参照すると，「なお，ピット／スペース列の最短のピット／スペース長３Ｔ１の長さは，再生装置が有する光学系の解像限界より長くなるように設定されている」（段落００４９）というものであり，「データ領域」の「再生装置が有する光学系解像限界以下の長さを含む凹凸」より，長い。
　すると，引用発明１の「再生装置の光学系の解像限界である１５６ｎｍより」長い「最短プリピット長が２０４ｎｍのプリピットとスペースとからなるプリピット列がスパイラル状に形成されて媒体情報が記録され」ることは，本件補正発明の「前記ディスク管理情報領域は，」データ領域の「前記第１のチャネルビット長より長い第２のチャネルビット長を基準とする所定の変調方式に基づいて，前記光情報記録媒体を構成する基板上における前記ディスク管理情報領域に凹凸が形成される」ことと共通するものといえ，引用発明１の「ＨＤ＿ＤＶＤ規格」は，本件補正発明の「所定の」「方式」に相当する。
　よって，引用発明１と本件補正発明は，「前記ディスク管理情報領域は，所定の変調方式に基づいて，前記光情報記録媒体を構成する基板上における前記ディスク管理情報領域に凹凸が形成されることにより，前記ディスク管理情報が記録されて」いる点で，一致する。
　
　(4) 引用発明１の「ブランク領域１２」において「プリピット列がスパイラル状に連続して形成されて」いることは，本件補正発明の「前記記録再生導入領域には，」「凹凸が形成されていること」に相当する。
　
４　一致点及び相違点
　以上より，本件補正発明と引用発明１は以下の点で一致する。
　
「再生装置が有する光学系解像限界以下の長さを含む凹凸が，所定の方式に基づいて，自媒体を構成する基板上の所定の位置に形成されていることにより，コンテンツが記録されているデータ領域を有し，前記再生装置から出射される光が前記データ領域に照射されることにより，前記コンテンツの再生が行なわれる再生専用の光情報記録媒体であって，
　前記光情報記録媒体に関するディスク管理情報が記録されたディスク管理情報領域と，前記データ領域を，前記再生装置にて再生するために利用可能な記録再生導入領域と，前記データ領域とが前記再生装置の走査方向に，隣接してこの順で配置されると共に，
　前記ディスク管理情報領域は，所定の方式に基づいて，前記光情報記録媒体を構成する基板上における前記ディスク管理情報領域に凹凸が形成されることにより，前記ディスク管理情報が記録されており，
　前記記録再生導入領域には，凹凸が形成されていることを特徴とする光情報記録媒体。」
　
　そして，以下の各点で相違する。
　
相違点１　本件補正発明は，「第１のチャネルビット長を基準とする所定の変調方式に基づいて」「再生装置が有する光学系解像限界以下の長さを含む凹凸が」「データ領域」に「形成され」，「第１のチャネルビット長より長い第２のチャネルビット長を基準とする所定の変調方式に基づいて」「前記ディスク管理情報領域に凹凸が形成され」ているのに対し，引用発明１は，「コンテンツ領域１３は，最短プリピット長が１５０ｎｍで，再生装置の光学系の解像限界である１５６ｎｍより短い長さのプリピットとスペースとを含むプリピット列がスパイラル状に形成され」，「媒体情報領域１１は，ＨＤ＿ＤＶＤ規格に準じ，最短プリピット長が２０４ｎｍのプリピットとスペースとからなるプリピット列がスパイラル状に形成されて」いるものの，「チャネルビット長を基準とする所定の変調方式に基づいて」いるのかは不明である点。
　
相違点２　本件補正発明の「記録再生導入領域」には，「前記第１のチャネルビット長の逓倍からなる凹凸が形成されている」のに対し，引用発明の「ブランク領域１２」には，「コンテンツ領域１３」の「最短プリピット長が１５０ｎｍ」とは異なる「長さ２０４ｎｍのプリピットを含む」「プリピット列がスパイラル状に連続して形成されて」いる点。
　
５　相違点についての判断
　(1) 相違点１について
　光ディスクに情報が変調されて記録されていることは技術常識である。
　また，引用発明１が記載された文献１には，「コンテンツ領域３では，主に，１１６ｎｍ，１７４ｎｍ，２３２ｎｍ，２９０ｎｍ，３４８ｎｍ，４０６ｎｍ，および４６４ｎｍの長さのプリピットとスペースとからなるプリピット列がスパイラル状に形成されてコンテンツ情報が記録されており，このプリピット列は再生装置の光学系の解像限界である１１９ｎｍより短い，１１６ｎｍの長さのプリピット及びスペースを含んでいる」（摘記箇所３(1) イの段落００５７参照。）という記載がみられるように，光ディスクに情報を記録する場合，所定数値の整数倍のもの（前記文献１の記載であれば，５８ｎｍの２倍，３倍，４倍，５倍，６倍，７倍，８倍。）からなるプリピットとスペースとからなるプリピット列を形成することも普通になされていることであるから，引用発明１の「最短プリピット長」について，引用発明１に接した当業者であれば，所定の「チャネルビット長」の整数倍を意味していることと解することができる。
　すると，本件補正発明の「第１のチャネルビット長」と「第１のチャネルビット長より長い第２のチャネルビット長」の関係と，引用発明１の「最短プリピット長が１５０ｎｍ」と，「１５０ｎｍ」より長い「最短プリピット長が２０４ｎｍのプリピット」の関係は，共に，ピット長の関係をいうものであって，その大小関係は本件補正発明と引用発明１で共通のものである。
　よって，相違点１は引用発明１も前提としている事項にすぎず，格別のものではない。
　
　(2) 相違点２について
　文献２には，「リードイン領域」と「ユーザデータ領域」が「相異なるピットパターンで形成されるとき」に，「リードイン領域」と「ユーザデータ領域」の間の「転移領域」を設けるにあたり，「転移領域のピットパターン」を「転移領域の後にあるピットパターンと同一」とすることで，「相異なるピットパターンで形成されるとき，転移領域なく連続的にデータを再生するならば，データ再生に問題が発生しうる」ことのないようにする技術が記載されている。
　よって，引用発明１に文献２記載の技術を適用し，引用発明１の「ブランク領域１２」を「コンテンツ領域１３」と同様のピットパターンとなるようにすることで，本件補正発明の「前記第１のチャネルビット長の逓倍からなる凹凸が形成されている」「記録再生導入領域」のようにすることは，当業者であれば容易になし得ることである。
　
　(3) そして，引用発明１に文献２記載の技術を適用し，本件補正発明のようにすることによって，格別顕著な効果が生じるものではない。
　
　(4) 以上のように，本件補正発明は，引用発明１及び文献２記載の技術に基づいて，当業者であれば容易に発明をすることができたものであるから，特許法第２９条第２項の規定により，出願の際独立して特許を受けることができないものである。
　
６　補正の却下の決定のむすび
　以上検討したように，本件補正発明は，引用発明１及び文献２記載の技術に基づいて，当業者であれば容易に発明をすることができたものであるから，特許法第２９条第２項の規定により，出願の際独立して特許を受けることができないものである。
　したがって，本件補正は，特許法第１７条の２第６項で準用する同法第１２６条第５項に規定する要件を満たしていないものであるから，同法第１５９条第１項で読み替えて準用する同法第５３条第１項の規定により，却下をすべきものである。
　よって，結論のとおり決定する。
　
　
第３　本願発明
　以上のように本件補正は却下されたから，この出願の特許請求の範囲に記載された請求項２の発明（以下，「本願発明」という。）は，前記「第２《補正の却下の決定の理由》１」に，本件補正前の請求項２の発明として示したとおりのものである。
　
第４　刊行物の記載事項
　この出願の優先日前に頒布された刊行物である文献１（国際公開第２００９／０２８５９３号）の記載事項は，前記「第２《補正の却下の決定の理由》３(1) 」に摘記したとおりであり，その記載及び図面の記載から，文献１には，以下の発明（以下，「引用発明２」という。）が記載されている。
　
「再生装置が有する光学系の解像限界より短い長さの凹及び／または凸からなるプリピットで情報を記録する光記録媒体である再生専用の超解像媒体２０であって，
　超解像媒体２０は，媒体情報が記録されている媒体情報領域１１と，映像やソフトウェア等のコンテンツ情報が記録されているコンテンツ領域１３とを有し，内周方向に媒体情報領域１１が存在し，外周方向にコンテンツ領域１３が存在するものであり，
　媒体情報領域１１は，ＨＤ＿ＤＶＤ規格に準じ，最短プリピット長が２０４ｎｍのプリピットとスペースとからなるプリピット列がスパイラル状に形成されて媒体情報が記録されており，媒体情報領域１１における媒体情報には，コンテンツ領域１３の記録形態が超解像記録形態であること示し，超解像媒体２０の媒体の種類を識別するための媒体識別情報，再生装置が再生クロックを切り替えるための再生クロック切替情報，記録情報のアドレス，およびブランク領域１２の開始位置を示す第１アドレス情報等が含まれており，
　さらに，媒体情報領域１１には，再生装置がコンテンツ領域１３に照射するレーザ光のパワーを調整（設定）するためのプリピットが形成されたテストリード領域１１Ａが割り当てられ，テストリード領域１１Ａのプリピット列は，コンテンツ領域１３の最短プリピットを含み，コンテンツ領域１３のプリピットの長さと等しい長さのプリピットのみからなるプリピット列であり，テストリード領域１１Ａのプリピット列については，媒体情報領域１１の任意の場所に設けることができ，
　コンテンツ領域１３は，最短プリピット長が１５０ｎｍで，再生装置の光学系の解像限界である１５６ｎｍより短い長さのプリピットとスペースとを含むプリピット列がスパイラル状に形成されてコンテンツ情報が記録されており，
　再生装置は，光記録媒体が挿入されると，再生初期のアクセス位置である光記録媒体の媒体情報領域に光ピックアップが位置合わせされ，媒体情報領域からの反射光を処理して，媒体情報領域のテストリード領域に光ピックアップが位置合わせされて，レーザ光源から出射されたレーザ光が，テストリード領域に照射され，コンテンツ領域用のレーザ光のパワーを決定し，光ピックアップが，媒体情報領域からコンテンツ領域にアクセスすると，コンテンツ領域からの反射光により，コンテンツ情報が再生される
　超解像媒体２０。」
　
第５　対比及び判断
１　本願発明と引用発明２の対比
　(1) 引用発明２の「再生装置が有する光学系の解像限界より短い長さの凹及び／または凸からなるプリピットで情報を記録する光記録媒体である再生専用の超解像媒体２０」は，本願発明の「再生装置が有する光学系解像限界以下の長さを含む凹凸が」「形成されている」「再生専用の光情報記録媒体」に相当する。
　そして，引用発明２の「映像やソフトウェア等のコンテンツ情報が記録されているコンテンツ領域１３」「を有」することは，本願発明の「自媒体を構成する基板上の所定の位置に形成されていることにより，コンテンツが記録されているデータ領域を有」することに相当し，引用発明２の「コンテンツ領域」において「レーザ光」が「照射」されることで「コンテンツ情報が再生される」ことは，本願発明の「前記再生装置から出射される光が前記データ領域に照射されることにより，前記コンテンツの再生が行なわれる」ことに相当する。
　また，引用発明２の「コンテンツ領域１３は，最短プリピット長が１５０ｎｍで，再生装置の光学系の解像限界である１５６ｎｍより短い長さのプリピットとスペースとを含むプリピット列がスパイラル状に形成され」ることは，本願発明の「第１のチャネルビット長を基準とする所定の変調方式に基づ」くことと，所定の方式に基づくことで共通する。
　よって，引用発明２と本願発明は，「再生装置が有する光学系解像限界以下の長さを含む凹凸が，所定の方式に基づいて自媒体を構成する基板上の所定の位置に形成されていることにより，コンテンツが記録されているデータ領域を有し，前記再生装置から出射される光が前記データ領域に照射されることにより，前記コンテンツの再生が行なわれる再生専用の光情報記録媒体」である点で一致する。
　
　(2) 引用発明２の「記録情報のアドレス」である「媒体情報が記録されている媒体情報領域１１」は，本願発明の「前記光情報記録媒体に関するディスク管理情報が記録されたディスク管理情報領域」に相当する。
　引用発明２の「再生装置がコンテンツ領域１３に照射するレーザ光のパワーを調整（設定）するためのプリピットが形成されたテストリード領域１１Ａ」は，
再生装置がコンテンツ領域１３に照射するレーザ光のパワーを調整（設定）するという，コンテンツ領域１３の再生をするために利用される
　また，引用発明２の「超解像媒体２０」は，「内周方向に媒体情報領域１１が存在し，外周方向にコンテンツ領域１３が存在」するから，内周から，「媒体情報領域１１」，「コンテンツ領域１３」の順に配置されており，しかも，「再生装置は，光記録媒体が挿入されると，再生初期のアクセス位置である光記録媒体の媒体情報領域に光ピックアップが位置合わせされ，媒体情報領域からの反射光を処理して，媒体情報領域のテストリード領域に光ピックアップが位置合わせされて，レーザ光源から出射されたレーザ光が，テストリード領域に照射され，コンテンツ領域用のレーザ光のパワーを決定し，光ピックアップが，媒体情報領域からコンテンツ領域にアクセスすると，コンテンツ領域からの反射光により，コンテンツ情報が再生される」というものであるから，「媒体情報領域１１」と「コンテンツ領域１３」は，本願発明でいう「前記再生装置の走査方向に，この順で配置される」ようにされている。
　よって，引用発明２と本願発明は，「前記データ領域を，前記再生装置にて再生するために利用可能な記録再生導入領域」を有し，「前記光情報記録媒体に関するディスク管理情報が記録されたディスク管理情報領域と，前記データ領域とが前記再生装置の走査方向に，この順で配置される」点で一致する。
　
　(3) 引用発明２は，「コンテンツ領域１３は，最短プリピット長が１５０ｎｍで，再生装置の光学系の解像限界である１５６ｎｍより短い長さのプリピットとスペースとを含むプリピット列がスパイラル状に形成されてコンテンツ情報が記録されている」のに対し，「媒体情報領域１１は，ＨＤ＿ＤＶＤ規格に準じ，最短プリピット長が２０４ｎｍのプリピットとスペースとからなるプリピット列がスパイラル状に形成されて媒体情報が記録されて」いるものであるから，引用発明２の「媒体情報領域１１」の「最短プリピット長」は，「コンテンツ領域１３」の「最短プリピット長」より長くされているところ，引用発明２の「プリピット」は「凹及び／または凸からなる」ものである。
　これに対し，本願発明は，「前記ディスク管理情報領域は，前記第１のチャネルビット長より長い第２のチャネルビット長を基準とする所定の変調方式に基づいて，前記光情報記録媒体を構成する基板上における前記ディスク管理情報領域に凹凸が形成される」というものであるが，本願発明の「第２のチャネルビット長」により形成される「凹凸」は，発明の詳細な説明を参照すると，「なお，ピット／スペース列の最短のピット／スペース長３Ｔ１の長さは，再生装置が有する光学系の解像限界より長くなるように設定されている」（段落００４９）というものであり，「データ領域」の「再生装置が有する光学系解像限界以下の長さを含む凹凸」より，長い。
　すると，引用発明２の「再生装置の光学系の解像限界である１５６ｎｍより」長い「最短プリピット長が２０４ｎｍのプリピットとスペースとからなるプリピット列がスパイラル状に形成されて媒体情報が記録され」ることは，本願発明の「前記ディスク管理情報領域は，」データ領域の「前記第１のチャネルビット長より長い第２のチャネルビット長を基準とする所定の変調方式に基づいて，前記光情報記録媒体を構成する基板上における前記ディスク管理情報領域に凹凸が形成される」ことと共通するものといえ，引用発明２の「ＨＤ＿ＤＶＤ規格」は，本願発明の「所定の」「方式」に相当する。
　よって，引用発明２と本願発明は，「前記ディスク管理情報領域は，所定の変調方式に基づいて，前記光情報記録媒体を構成する基板上における前記ディスク管理情報領域に凹凸が形成されることにより，前記ディスク管理情報が記録されて」いる点で，一致する。
　
　(4) 引用発明２の「テストリード領域１１Ａのプリピット列は，コンテンツ領域１３の最短プリピットを含み，コンテンツ領域１３のプリピットの長さと等しい長さのプリピットのみからなるプリピット列であり」という記載から，引用発明２の「テストリード領域１１Ａ」と，本願発明の「記録再生導入領域」は，「凹凸が形成されている」点で一致する。
　
２　一致点及び相違点
　以上より，本願発明と引用発明２は以下の点で一致する。
　
「再生装置が有する光学系解像限界以下の長さを含む凹凸が，所定の方式に基づいて，自媒体を構成する基板上の所定の位置に形成されていることにより，コンテンツが記録されているデータ領域を有し，前記再生装置から出射される光が前記データ領域に照射されることにより，前記コンテンツの再生が行なわれる再生専用の光情報記録媒体であって，
　前記データ領域を，前記再生装置にて再生するために利用可能な記録再生導入領域を有し，
　前記光情報記録媒体に関するディスク管理情報が記録されたディスク管理情報領域と，前記データ領域とが前記再生装置の走査方向に，この順で配置されると共に，
　前記ディスク管理情報領域は，所定の方式に基づいて，前記光情報記録媒体を構成する基板上における前記ディスク管理情報領域に凹凸が形成されることにより，前記ディスク管理情報が記録されており，
　前記記録再生導入領域には，凹凸が形成されていることを特徴とする光情報記録媒体。」
　
　そして，以下の各点で相違する。
　
相違点３　本願発明は，「第１のチャネルビット長を基準とする所定の変調方式に基づいて」「再生装置が有する光学系解像限界以下の長さを含む凹凸が」「データ領域」に「形成され」，「第１のチャネルビット長より長い第２のチャネルビット長を基準とする所定の変調方式に基づいて」「前記ディスク管理情報領域に凹凸が形成され」ているのに対し，引用発明２は，「コンテンツ領域１３は，最短プリピット長が１５０ｎｍで，再生装置の光学系の解像限界である１５６ｎｍより短い長さのプリピットとスペースとを含むプリピット列がスパイラル状に形成され」，「媒体情報領域１１は，ＨＤ＿ＤＶＤ規格に準じ，最短プリピット長が２０４ｎｍのプリピットとスペースとからなるプリピット列がスパイラル状に形成されて」いるものの，「チャネルビット長を基準とする所定の変調方式に基づいて」いるのかは不明である点。
　
相違点４　本願発明の「記録再生導入領域」は，「前記第１のチャネルビット長の逓倍からなる凹凸が形成されている」ものであり，しかも，「ディスク管理情報」，「記録再生導入領域」，「データ領域」の順で再生装置の走査方向に配置されているのに対し，引用発明２の「テストリード領域１１Ａ」は「コンテンツ領域１３の最短プリピットを含み，コンテンツ領域１３のプリピットの長さと等しい長さのプリピットのみからなるプリピット列」であり，「媒体情報領域１１」に「割り当てられ」たものである点。
　
３　相違点についての判断
　(1) 相違点３について
　光ディスクに情報が変調されて記録されていることは技術常識である。
　また，引用発明２が記載された文献１には，「コンテンツ領域３では，主に，１１６ｎｍ，１７４ｎｍ，２３２ｎｍ，２９０ｎｍ，３４８ｎｍ，４０６ｎｍ，および４６４ｎｍの長さのプリピットとスペースとからなるプリピット列がスパイラル状に形成されてコンテンツ情報が記録されており，このプリピット列は再生装置の光学系の解像限界である１１９ｎｍより短い，１１６ｎｍの長さのプリピット及びスペースを含んでいる」（摘記箇所第２《補正の却下の決定の理由》３(1) イの段落００５７参照。）という記載がみられるように，光ディスクに情報を記録する場合，所定数値の整数倍のもの（前記文献１の記載であれば，５８ｎｍの２倍，３倍，４倍，５倍，６倍，７倍，８倍。）からなるプリピットとスペースとからなるプリピット列を形成することも，普通になされていることであるから，引用発明２の「最短プリピット長」について，引用発明２に接した当業者であれば，所定の「チャネルビット長」の整数倍を意味していることと解することができる。
　すると，本願発明の「第１のチャネルビット長」と「第１のチャネルビット長より長い第２のチャネルビット長」の関係と，引用発明２の「最短プリピット長が１５０ｎｍ」と，「１５０ｎｍ」より長い「最短プリピット長が２０４ｎｍのプリピット」の関係は，共に，ピット長の関係をいうものであって，その大小関係は本願発明と引用発明２で共通のものである。
　よって，相違点３は引用発明２も前提としている事項にすぎず，格別のものではない。
　
　(2) 相違点４について
　相違点３で検討したように，本願発明の「チャネルビット長」は，ピットの基準長をいうものであるから，引用発明２の「コンテンツ領域１３の最短プリピットを含み，コンテンツ領域１３のプリピットの長さと等しい長さのプリピットのみからなるプリピット列」は，本願発明の「前記第１のチャネルビット長の逓倍からなる凹凸が形成されている」とは，同一の技術事項を異なる表現で示したにすぎないものである。
　そして，引用発明２は，「テストリード領域１１Ａのプリピット列については，媒体情報領域１１の任意の場所に設けることができ」るというものであるから，媒体情報領域１１の末端，すなわち，コンテンツ領域１３に最も近接した場所に配置することが示唆されているものであり，引用発明２において，媒体情報領域１１の末端にテストリード領域１１Ａを配置し，再生装置の走査の順に，「媒体情報領域１１」，「テストリード領域１１Ａ」，「コンテンツ領域１３」と並ぶようにすることで，本願発明のようにすることは，当業者であれば容易になし得ることである。
　
　(3) そして，引用発明２を本願発明のようにすることによって，格別顕著な効果が生じるものではない。
　
４　小括
　以上検討したように，本願発明は，引用発明２に基づいて当業者であれば容易に発明をすることができたものであるから，特許法第２９条第２項の規定により特許を受けることができないものである。
　
第５　むすび
　以上のように，本願発明は，引用発明２に基づいて当業者であれば容易に発明をすることができたものであるから，特許法第２９条第２項の規定により特許を受けることができないものである。
　したがって，この出願については，他の請求項について論及するまでもなく，原査定の拒絶の理由により拒絶をすべきものである。
　よって，結論のとおり審決する。